(57)【要約】      （修正有）【課題】おもに防水用又は医療用に用いられ、液体や気体を通すチューブ類や水中で使用するチューブ類等に穴が開いて水漏れや空気漏れが止まらない場合や、指や腕等を切って出血が止まらない場合に、これらを止める糸付テープを提供する。【解決手段】粘着層４を備えた基材３と粘着層に複数周回巻き付けることが可能な糸２とを備えた糸付テープであり、糸を粘着層に巻き付けることでテープによる固定が強化される。【選択図】図１
2014117290.tif 000002
【特許請求の範囲】
【請求項１】
少なくとも基材の一方に粘着層を設けるか、又は、剥離紙と剥離紙の間に両面粘着層を設けて、前記いずれかの粘着層に巻き付ける固定用手段として糸を一体に備えたことを特徴とする糸付きテープ。
【請求項２】
前記基材又は、前記粘着層に、更に防水性のパテや薬剤等の特別機能部を取り付けたことを特徴とする請求項１記載の糸付きテープ。    
【請求項３】
前記糸の端部及び/又は中間部に糸止め用粘着層を設けたことを特徴とする請求項１又は２記載の糸付きテープ。
【発明の詳細な説明】
【技術分野】
【０００１】
本願発明は、おもに防水用又は医療用等に使用する目的で、少なくとも基材の一方に粘着層を設けるか又は、剥離紙と剥離紙の間に両面粘着層を設けて、前記いずれかの粘着層に巻き付ける固定用手段として糸を一体に備えたことを特徴とする糸付きテープに関するものである。
【背景技術】
【０００２】
従来は、チューブ等の管に穴が開いた場合の水や空気漏れ防止や、人体を切った場合の止血は、粘着力を持つテープや絆創膏を張る手段を用いて、水圧、空気圧、血圧によるテープや絆創膏の剥がれを防いでいた。
【０００３】
従来の包帯を止める医療用のテープには、取りのりしろを備えた両面テープがある（特許公開２００２−５８７００）。これは、単に、剥離紙を剥がしやすくするために、剥離紙の両側に取りのりしろを備えた絆創膏にすぎず糸の緊縮により止血を抑制する効果はない。
【０００４】
又、従来の止血の為の医療用の救急絆創膏には渦巻状テープ紙に直接に救急絆創膏を張り付けたものがある（特許公開平１１−３６１）。これは単に、止血部分に貼り付ける手間は省かれるが、糸の緊縮により止血を抑制する効果はない。
【先行技術文献】
【特許文献】
【０００５】
【特許文献１】特許公開２００２−５８７００
【特許文献２】特許公開平１１−３６１
【発明の概要】
【発明が解決しようとする課題】
【０００６】
本願発明糸付テープは、液体や気体を通すチューブ類や、水中で使用するチューブ類等に穴が開いて水漏れや空気漏れが止まらない場合や、指や腕等を切って出血が止まらない場合に、これらを止める事をおもな課題とする。
【課題を解決するための手段】
【０００７】
上記課題を解決する為に、少なくとも基材の一方に粘着層を設けるか又は、剥離紙と剥離紙の間に両面粘着層を設けて、前記いずれかの粘着層に巻き付ける固定用手段として糸を一体に備えたことを特徴とする糸付きテープを作成する。
【０００８】
又、前記基材又は、前記粘着層に、更に防水性のパテや薬剤等の特別機能部をとりつけたことを特徴とする糸付きテープを作成する。
【０００９】
そして、前記糸の端部及び/又は中間部に糸止め用粘着層を設けたことを特徴とする糸付きテープを作成することにより、本願発明の効果が発揮できる。
【発明の効果】
【００１０】
少なくとも基材の一方に粘着層を設けるか又は、剥離紙と剥離紙の間に両面粘着層を設けて、前記いずれかの粘着層に巻き付ける固定用手段として糸を一体に備えたことを特徴とする糸付きテープを作成する。この効果について以下に述べる。
【００１１】
穴が開いたチューブの止水や空気漏れ防止に、少なくとも片面に粘着層を備えるテープ状のものを巻きつけるだけでは固定が不十分であり、水分により粘着層が剥がれ易くなり、水圧や空気圧で前記テープ状のものは剥がれる欠点を持つ。そこで、前記テープ状のものに、固定手段として一体化した糸を巻きつける事で、糸の緊縮を利用して、前記テープ状のものの、防水及び防圧の効果を高めて、剥がれにくくすることでて固定の補強が出来る。
【００１２】
又、人体の止血に少なくとも片面に粘着層を備えるテープ状のものを巻きつけるだけでは、血液や血圧により前記テープ状のものは剥がれる欠点を持つ。そこで、前記テープ状のものに、固定手段として一体化した糸を巻きつける事で、糸の緊縮を利用して、前記テープ状のものの剥がれ易さを防止して固定の補強が出来る。尚、人体に使用する場合は、糸の緊縮により止血をする効果がある。
【００１３】
前記テープ状のものに固定手段として一体化された前記糸は、前記粘着層に巻き付けて使用されるので、この外面粘着層に巻き付けた前記糸は、外面粘着層に貼り付けられ、接着剤なしで貼り付け固定することが可能となる。
【００１４】
又、前記基材又は、前記粘着層に、更に防水性のパテや薬剤等の特別機能部をとりつけたことを特徴とする糸付きテープを作成する。この効果について以下に述べる。
【００１５】
前記特別機能部の代表的なものは、防水の場合には穴に圧入して穴からの液体や気体の流出を止める効果のある防水性のパテや粘着剤等があり、止血等の人体に使うものの場合は吸水性を備えたものや薬剤等がある。
【００１６】
穴の開いたチューブの防水の場合は、水を止めてチューブを乾かした後、前記耐水性を備えたパテや粘着剤を穴に圧入して、本願発明糸付両面テープを巻き付けて乾かすと、再度、水を流した場合において、水漏れの防止が強化される。又、止血の場合は、流血部分に吸水性を備えたものや薬剤を備えた本願発明糸付両面テープを巻き付ける事で、流血の防止が強化される。
【００１７】
このように、００１７項で前述した防水性のパテや薬剤等を新たな特別機能部を備えさせる事により、水漏れ、空気漏れ、出血等を止める効果を補強することが出来る
【００１８】
更に、前記糸の端部及び/又は中間部に糸止め用粘着層を設けたことを特徴とする糸付きテープを作成する。この効果について以下に述べる。
【００１９】
対象物に対象物の外面に粘着層を持つようにして巻き付けて、その上に前記糸を巻き付けた場合、この外面粘着層に巻き付けた前記糸は、外面粘着層に貼り付けられて接着剤なしでの固定が可能となるが、前記糸止め用粘着層を前記糸の端部に設けて前記糸の上に貼り付ける事により、固定が補強される。
【００２０】
更に、前記糸の中間部に、糸止め用粘着層を設ける（単数でも複数でも可）事で、前記糸を巻いた上から、重ね貼りをして糸を巻き付ける事で、幾層もの粘着層と糸が重なり合い、より一層の固定の補強が出来る。
【図面の簡単な説明】
【００２１】
【図１】本願発明糸付きテープ１ａの断面図
【図２】特別機能部に防水用のパテ１０を取り付け、さらに、糸２の端部に糸止め用粘着層４´´を持つ片面テープ６を設けた本願発明糸付きテープ１ｂの断面図
【図３】チューブ７の穴９から水漏れ８をしている正面図
【図４】図３で示すチューブ７に、図2で示す本願発明糸付きテープ１ｂを使用した正面図
【図５】図３で示すチューブ７に、図2で示す本願発明糸付きテープ１ｂの使用終了後の正面図
【図６】図３で示すチューブ７に、図１で示す本願発明糸付きテープ１ａの使用終了後の正面図
【図７】特別機能部に吸水性のあるもの１１を備えた、本願発明糸付きテープ１ｃの断面図
【図８】指１２の止血用に図７で示す本発明糸付きテープ１ｃを使用した正面図
【図９】特別機能部に薬剤１３を備えた、本願発明糸付きテープ１ｄの断面図
【図１０】幅の広い基材３を備えた本願発明糸付きテープ1ｅの正面図
【図１１】幅の広い基材を備えた本願発明糸付きテープ1ｅを肘関節１４に使用した正面図
【図１２】通気性の穴９´を持つ本願発明糸付きテープ１の正面図
【発明を実施するための形態】
【００２２】
本願発明糸付テープ１ａとは、図１の断面図で示す、基材３を中心として、その外側に一対の粘着層４、４´を設け、更にその外側に一対の剥離紙５、５´を設けて、前記両面粘着層に固定用手段として、糸２を備えた形態で示す。
【００２３】
尚、基材３を備えず、一対の剥離紙５、５´の間に粘着層４設けて、前記粘着層に固定用手段として糸２を備えた形態のものもある。
【００２４】
又、前記糸２とは、糸、紐、包帯、ゴム、金属等、糸や紐状の様々なものを含んでおり、対象物によっては、これらの形態や素材と適合したものを一体に備えた糸付テープ１を作成する。
【００２５】
更に実施例１、２では、一対の粘着層４、４´を基材３の両面に備えたテープ１を使用しており、対象物に内面粘着層４´で貼り付けた場合、両面粘着層４，４´の重ね巻き効果で、片面粘着層のテープに比べて強固な固定が出来る。さらに、固定手段として備えている前記糸２を巻き付けるに際に、内面粘着層４´を貼り付けた外面に実現する外面粘着層４の効果により接着剤を用いなくても、前記糸２は外面粘着層４に貼り付け固定される。
【００２６】
接着剤を用いなくても前記糸２は前記外面粘着層４に貼り付け固定されるので、前記糸２は巻き付けが終了する際の図６で示す結び止めＡが不要となる機能を前記外面粘着層４により実現する。  
【００２７】
仮に、緊縮を強化する目的の為に図６で示す結び止めＡをする場合においても、前記外面粘着層４に前記糸２は貼り付け固定されるので、簡単なむすび止めＡで糸巻作業は終了する。
【実施例１】
【００２８】
図１で示す本願発明糸付テープ１ａとは中央に基材３を持ち、その両側に一対の粘着層４，４´を備えており、前記粘着層４に固定手段の糸２を一体に備えさせている。図２では糸２の端部に片面テープ６を備えた本願発明糸付テープ１ｂを示す。
【００２９】
図２で示す本願発明の糸付テープ１ｂを用いて、図３で示す水８を通すチューブ７に穴９が開いた場合における使用方法を実施例１で述べる。
【００３０】
実施例１の図２で示す本願発明糸付テープ１ｂの粘着層４´には、特別機能部として防水性のパテ１０を取り付けている。そして、糸２の端部に基材３´と粘着層４´´を備える片面テープ６が備え付けている。
【００３１】
従来、図3で示す水８を通すチューブ７に穴が開いた場合は、水８を止めてからチューブ７を乾燥させた後に、既成のテープを巻いて固定しても、再度水８を流し始めると、水分や水圧でテープが剥がれる事があり、又、剥がれなくても、テープ側面から水８の漏れが起こる場合がある。
【００３２】
しかし、チューブ７を乾燥させた後に、図２で示す本願発明の糸付テープ１ｂを用いた場合は、本願発明糸付テープ１ｂは基材３の両側に粘着層４、４´を備えさせているので、チューブ７に巻き付けた場合に、前記粘着層４、４´の両面の粘着層の重ね巻きにより固定が強化される。更に、図４で示すようにチューブ７に重ね巻きした基材３の外面を固定手段として一体に備えられた糸２で巻いて括ると、前記糸２の緊縮でテープ１ｂの固定が補強される。
【００３３】
００３２で述べたように、固定手段として一体に備え付けられた糸２をチューブ７に緊縮して巻き付けると、固定が補強されるので、再び水８を流し始めても、図３で示すチューブ７の穴９からの水８の漏れの防止効果が高まる。
【００３４】
又、本願発明糸付テープ１ｂが持つ図２で示す内面粘着層４´を図３で示すチューブ７に貼り付けた場合、図４で示すようにチューブ７の外面に、外面粘着層４を備えさせるので、外面に備えられた粘着層４の効果で、巻き付けられた前記糸２は接着剤を用いなくても貼り付け固定される。
【００３５】
最後に、図２で示す前記糸２の端部にある片面テープ６を貼り付けると、外面粘着層４と片面テープ６の粘着層４´´の双方の粘着力により本願発明糸付テープ２ｂの固定が強化される。
【００３６】
００３５で述べた前記外面粘着層４に前記糸２が巻き付けられて緊縮による補強がされた後に、糸２の端部の片面テープ６を貼り付けたものを図５で示す。
【００３７】
又、図１で示す、端部に片面テープ６を備えない本願発明糸付両面テープ１ａの場合は、糸２は外面粘着層４に絡みついて貼り付け固定するので、接着剤を用いなくても糸２を巻いた後には図6で示す最終的な結び止Ａの必要がない。仮に、最結び止めＡをする場合においても、前記外面粘着層４により、図6で示す簡単な結び止めＡで強固に貼り付け固定することが出来る。
【００３８】
前記チューブ７を乾燥させた後に、特別機能部として図２で示す防水性のパテ１０を、穴９に圧入して、前記チューブ７に本願発明糸付両面テープ１ｂを取り付けると防水性のパテ１０の圧入効果で水漏れの防止を強化させる効果がある。  
【００３９】
穴が開いて空気漏れ等がする水中で使用するチューブ類の修理（空気漏れ止め）に、本願発明糸付テープ１を使用する場合においても、前記チューブ類を乾燥させた後に実施例１と同じ手段を用いる事で、００１１に述べたように防水及び防圧効果を高めることで、修理後に水中での再使用が可能となる。
【実施例２】
【００４０】
実施例２では、図８で示す指１２を切った場合の止血用に使用する場合について説明します。実施例２では図７で示す基材３に一対の粘着層４、４´を備えて、粘着層４´に特別機能部として吸水性のあるもの１１を備えた本願発明糸付テープ１ｃを使用する。
【００４１】
図８は、指１２を切った場合、傷口に図７で示す吸水性のあるもの１１を押し付けて、基材３の内面粘着層４´を利用して指１２に貼り付けることで止血する場合、前述した００３２項と同様に、前記粘着層４、４´の両面の粘着層の重ね巻きにより固定が補強され、固定手段として一体に備えられた糸２で巻いて括ると前記糸２の緊縮により止血効果が増し、且つ、固定の補強が出来る。
【００４２】
尚、人体に貼る場合には図７のように特別機能部に吸水性のあるもの１１や、図９のように特別機能部に薬剤１３を備えた本願発明糸付テープ１ｃ、１ｄを実施例に用いるが、特別機能部に吸水性のあるもの１１と薬剤１３を併せ持つものを作成することも可能である。
【００４３】
薬剤１３を特別機能部にもつ本発明糸付テープ１ｄは、００４１項で述べた同じ手段を用いる事で、患部への固定が補強される。
【００４４】
実施例２においても外面粘着層４に糸２が貼り付けて固定された後に、片面テープ６が貼り付けられることで固定の補強が出来る。又、片面テープ６を備えない図１で示す本願発明糸付テープ１ａを実施例２において使用した場合、００２６で前述したように結び止めＡが不要となる。
【実施例３】
【００４５】
次に、実施３について説明する。この実施例３では、薬剤１３をその裏面に持つ幅の広い基材３を備えた本願発明糸付テープ１ｅを用いており、図１０はその正面図を示す。
【００４６】
幅の広い基材３を用いて人体に使用する例としては、湿布等がある。又、図３で示すチューブ７の水漏れ防止用に使用する際にも、幅の広い基材３が効果的な水漏れ防止効果をもたらす場合がある。
【００４７】
幅の広い前記基材３の場合は全体ではなく、前記基材３の部分的な２箇所に、図１０で示す粘着層４a、４ｂに巻き付ける固定用手段として糸２、２´を一体に備えさせる。そして、前記糸２、２´の端部には、片面テープ６、６´を備えさせる。
【００４８】
幅の広い基材３の裏面に薬剤１３を備えている既製品の湿布等では、図１１で示す肘関節１４等に貼り付ける場合は、関節の可動により基材３が剥がれ易い欠点がある。
【００４９】
図１１は、図１０で示す本願発明糸付テープ１ｅを肘関節１４に貼り付けた状態を示す。
【００５０】
図１１では本願発明糸付テープ１ｅが裏面に備える薬剤１３を肘関節１４に貼り付ける際に、図１０で示す前記粘着層４ａ、４ｂに前記糸２、２´を貼り付け固定して、更に前記糸２、２´の先端にある片面テープ６、６´を前記糸２、２´の上から貼り付ける事で、固定の補強が出来る。これにより、肘関節１４の可動による剥がれ易さの欠点を補う事が出来る。  
【００５１】
実施例２、３で示すように本発明糸付テープ１を医療目的で人体に使用する場合は、図１２で示すように、基材３及び粘着層４に通気性のある複数の穴９´を設けることで、本願発明糸付両面テープ１の通気性を確保する事が出来る。
【００５２】
以上において、本願発明糸付テープ１の防水用及び医療用の使い方の実施例を述べたが、実施例と同様の使い方で、棒を束ねて固定する場合や、破損したものをつなぎ合わせて固定する場合においても、本願発明糸付テープ１が持つ糸２の緊縮の効果により、前記のような固定をする場合においても固定の補強を実現できる。
【符号の説明】
【００５３】
１    本願発明糸付テープ
２    糸
３    基材
４    粘着層
５    剥離紙
６    片面テープ
７    チューブ 
８    水
９    穴
１０  防水用のパテ
１１  吸水性のあるもの
１２  指
１３  薬剤  
１４  肘関節
Ａ  結び止め
【図１】
2014117290.tif 000003
【図２】
2014117290.tif 000004
【図３】
2014117290.tif 000005
【図４】
2014117290.tif 000006
【図５】
2014117290.tif 000007
【図６】
2014117290.tif 000008
【図７】
2014117290.tif 000009
【図８】
2014117290.tif 000010
【図９】
2014117290.tif 000011
【図１０】
2014117290.tif 000012
【図１１】
2014117290.tif 000013
【図１２】
2014117290.tif 000014
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
少なくとも、基材の一方に粘着層を設けて、前記粘着層に複数周回巻き付けることが可能な糸を備えた糸付テープ。
【請求項２】
前記基材又は、前記粘着層に、更に防水性のパテや薬剤等の特別機能部を取り付けたことを特徴とする請求項１記載の糸付きテープ。
【請求項３】
前記糸の端部及び/又は中間部に糸止め用粘着層を設けたことを特徴とする請求項１又は２記載の糸付きテープ。
【手続補正２】
【補正対象書類名】明細書
【補正対象項目名】０００１
【補正方法】変更
【補正の内容】
【０００１】
本願発明は、おもに防水用又は医療用等に使用する目的で、少なくとも、基材の一方に粘着層を設けて、前記粘着層に複数周回巻き付けることが可能な糸を備えた糸付テープに関するものである。
【手続補正３】
【補正対象書類名】明細書
【補正対象項目名】０００７
【補正方法】変更
【補正の内容】
【０００７】
上記課題を解決する為に、少なくとも、基材の一方に粘着層を設けて、前記粘着層に複数周回巻き付けることが可能な糸を備えた糸付テープを作成する。
【手続補正４】
【補正対象書類名】明細書
【補正対象項目名】００１０
【補正方法】変更
【補正の内容】
【００１０】
少なくとも、基材の一方に粘着層を設けて、前記粘着層に複数周回巻き付けることが可能な糸を備えた糸付テープを作成する。この効果について以下に述べる。
【手続補正５】
【補正対象書類名】明細書
【補正対象項目名】００１１
【補正方法】変更
【補正の内容】
【００１１】
穴が開いたチューブの止水や空気漏れ防止に、少なくとも片面に粘着層を備えるテープ状のものを巻きつけるだけでは固定が不十分であり、水分により粘着層が剥がれ易くなり、水圧や空気圧で前記テープ状のものは剥がれる欠点を持つ。そこで、前記テープ状のものに、複数周回巻き付けることが可能な糸を複数周回巻きつける事で、糸の緊縮を利用して、前記テープ状のものの、防水及び防圧の効果を高めて、剥がれにくくすることでて固定の補強が出来る。
【手続補正６】
【補正対象書類名】明細書
【補正対象項目名】００１３
【補正方法】変更
【補正の内容】
【００１３】
前記テープ状のものに複数周回巻き付けることが可能な前記糸は、前記粘着層に複数周回巻き付けて使用されるので、この外面粘着層に複数周回巻き付けた前記糸は、外面粘着層に貼り付けられ、接着剤なしで貼り付け固定することが可能となる。  
【手続補正７】
【補正対象書類名】明細書
【補正対象項目名】００１６
【補正方法】変更
【補正の内容】
【００１６】
穴の開いたチューブの防水の場合は、水を止めてチューブを乾かした後、前記耐水性を備えたパテや粘着剤を穴に圧入して、本願発明糸付両面テープを複数周回巻き付けて乾かすと、再度、水を流した場合において、水漏れの防止が強化される。又、止血の場合は、流血部分に吸水性を備えたものや薬剤を備えた本願発明糸付両面テープを複数周回巻き付ける事で、流血の防止が強化される。
【手続補正８】
【補正対象書類名】明細書
【補正対象項目名】００１９
【補正方法】変更
【補正の内容】
【００１９】
対象物に対象物の外面に粘着層を持つようにして巻き付けて、その上に前記糸をstyle='font-family:"ＭＳ 明朝","serif"'>複数周回"ＭＳ 明朝","serif"'>巻き付けた場合、この外面粘着層に複数周回style='font-family:"ＭＳ 明朝","serif"'>巻き付けた前記糸は、外面粘着層に貼り付けられて接着剤なしで固定が可能となるが、前記糸止め用粘着層を前記糸の端部に設けて前記糸の上に貼り付ける事により、固定が補強される。
【手続補正９】
【補正対象書類名】明細書
【補正対象項目名】００２２
【補正方法】変更
【補正の内容】
【００２２】
本願発明糸付テープ１ａとは、図１の断面図で示す、基材３を中心として、その外側に一対の粘着層４、４lang=EN-US>´を設け、更にその外側に一対の剥離紙５、５´を設けて、前記粘着層に複数周回巻き付けることが可能な糸２を備えた形態を示す。
【手続補正１０】
【補正対象書類名】明細書
【補正対象項目名】００２５
【補正方法】変更
【補正の内容】
【００２５】
更に実施例１、２では、一対の粘着層４、４´を基材３の両面に備えたテープ１を使用しており、対象物に内面粘着層４´で貼り付けた場合、両面粘着層４，４´の重ね巻き効果で、片面粘着層のテープに比べて強固な固定が出来る。さらに、複数周回巻き付けることが可能な前記糸２を複数周回巻き付けるに際に、内面粘着層４´を貼り付けた外面に実現する外面粘着層４の効果により接着剤を用いなくても、前記糸２は外面粘着層４に貼り付け固定される。  
【手続補正１１】
【補正対象書類名】明細書
【補正対象項目名】００２８
【補正方法】変更
【補正の内容】
【００２８】
図１で示す本願発明糸付テープ１ａとは中央に基材３を持ち、その両側に一対の粘着層４，４lang=EN-US>´を備えており、前記粘着層４に複数周回巻き付けることが可能な糸２を備えさせている。図２では糸２の端部に片面テープ６を備えた本願発明糸付テープ１ｂを示す。
【手続補正１２】
【補正対象書類名】明細書
【補正対象項目名】００３２
【補正方法】変更
【補正の内容】
【００３２】
しかし、チューブ７を乾燥させた後に、図２で示す本願発明の糸付テープ１ｂを用いた場合は、本願発明糸付テープ１ｂは基材３の両側に粘着層４、４´を備えさせているので、チューブ７に巻き付けた場合に、前記粘着層４、４´の両面の粘着層の重ね巻きにより固定が強化される。更に、図４で示すようにチューブ７に重ね巻きした基材３の外面を複数周回巻き付けることが可能な糸２で複数周回巻いて括ると、前記糸２の緊縮でテープ１ｂの固定が補強される。
【手続補正１３】
【補正対象書類名】明細書
【補正対象項目名】００３７
【補正方法】変更
【補正の内容】
【００３７】
又、図１で示す、端部に片面テープ６を備えない本願発明糸付両面テープ１ａの場合は、糸２は外面粘着層４に絡みついて貼り付け固定するので、接着剤を用いなくても糸２を複数周回巻いた後には図6で示す最終的な結び止Ａの必要がない。仮に、最結び止めＡをする場合においても、前記外面粘着層４により、図6で示す簡単な結び止めＡで強固に貼り付け固定することが出来る。
【手続補正１４】
【補正対象書類名】明細書
【補正対象項目名】００４１
【補正方法】変更
【補正の内容】
【００４１】
図８は、指１２を切った場合、傷口に図７で示す吸水性のあるもの１１を押し付けて、基材３の内面粘着層４´を利用して指１２に貼り付けることで止血する場合、前述した００３２項と同様に、前記粘着層４、４´の両面の粘着層の重ね巻きにより固定が補強され、複数周回巻き付けることが可能な糸２で複数周回巻いて括ると前記糸２の緊縮により止血効果が増し、且つ、固定の補強が出来る。
【手続補正１５】
【補正対象書類名】明細書
【補正対象項目名】００５０
【補正方法】変更
【補正の内容】
【００５０】
図１１では本願発明糸付テープ１ｅが裏面に備える薬剤１３を肘関節１４に貼り付ける際に、図１０で示す前記粘着層４ａ、４ｂに前記糸２、２´を複数周回巻きつけて貼り付け固定して、更に前記糸２、２´の先端にある片面テープ６、６´を前記糸２、２´の上から貼り付ける事で、固定の補強が出来る。これにより、肘関節１４の可動による剥がれ易さの欠点を補う事が出来る。
【手続補正書】
【提出日】平成25年3月1日(2013.3.1)
【手続補正１】
【補正対象書類名】明細書
【補正対象項目名】００１９
【補正方法】変更
【補正の内容】
【００１９】
対象物に対象物の外面に粘着層を持つようにして巻き付けて、その上に前記糸を複数周回巻き付けた場合、この外面粘着層に複数周回巻き付けた前記糸は、外面粘着層に貼り付けられて接着剤なしで固定が可能となるが、前記糸止め用粘着層を前記糸の端部に設けて前記糸の上に貼り付ける事により、固定が補強される。
【手続補正２】
【補正対象書類名】明細書
【補正対象項目名】００２２
【補正方法】変更
【補正の内容】
【００２２】
本願発明糸付テープ１ａとは、図１の断面図で示す、基材３を中心として、その外側に一対の粘着層４、４´を設け、更にその外側に一対の剥離紙５、５´を設けて、前記粘着層に複数周回巻き付けることが可能な糸２を備えた形態を示す。
【手続補正３】
【補正対象書類名】明細書
【補正対象項目名】００２８
【補正方法】変更
【補正の内容】
【００２８】
図１で示す本願発明糸付テープ１ａとは中央に基材３を持ち、その両側に一対の粘着層４，４´を備えており、前記粘着層４に複数周回巻き付けることが可能な糸２を備えさせている。図２では糸２の端部に片面テープ６を備えた本願発明糸付テープ１ｂを示す。